(57)【要約】【課題】複数の空間に隣接する位置に部屋を設けるにあたって当該部屋と各空間との関係が考慮された建物を提供する。【解決手段】住宅Ｊにおいて、互いに異なる位置に配置された複数の空間２、３、４、５と、各空間２、３、４、５と隣接する位置に設けられた部屋１と、部屋１と各空間２、３、４、５との境界位置に設けられた仕切壁１ａ、１ｂ、１ｃ、１ｄと、各仕切壁１ａ、１ｂ、１ｃ、１ｄに設けられた開口部と、を有し、複数の空間２、３、４、５は、連続して繋がっており、各仕切壁１ａ、１ｂ、１ｃ、１ｄにおいて開口部を開くことで調整される開放度合いの調整許容量は、各仕切壁１ａ、１ｂ、１ｃ、１ｄと隣り合う空間に応じて設定されている。【選択図】図１
2018104910.tif 000002
【特許請求の範囲】
【請求項１】
互いに異なる位置に配置された複数の空間と、
複数の前記空間の各々と隣接する位置に設けられた部屋と、
該部屋と各々の前記空間との境界位置に設けられた仕切壁と、
各々の該仕切壁に設けられた開口部と、を有し、
複数の前記空間は、連続して繋がっており、
各々の前記仕切壁において前記開口部を開くことで調整される開放度合いの調整許容量は、各々の前記仕切壁と隣り合う前記空間に応じて設定されていることを特徴とする建物。
【請求項２】
前記部屋は、前記建物において前記建物の外壁に面する位置から離れた位置に設けられており、
少なくとも一つ以上の前記空間は、前記建物において前記外壁に面する位置に設けられていることを特徴とする請求項１に記載の建物。
【請求項３】
各々の前記仕切壁における前記開口部のサイズが、各々の前記仕切壁と隣り合う前記空間に応じて設定されていることを特徴とする請求項１又は２に記載の建物。
【請求項４】
複数の前記空間のうち、特定の空間と隣り合う前記仕切壁における前記開放度合いの前記調整許容量が最も大きく設定されていることを特徴とする請求項１乃至３のいずれか一項に記載の建物。
【請求項５】
前記特定の空間は、前記部屋を基準にして前記建物の出入口とは反対側に位置する前記空間であることを特徴とする請求項４に記載の建物。
【請求項６】
前記特定の空間は、複数の前記空間のうち、床面積が最も小さい前記空間であることを特徴とする請求項４に記載の建物。
【請求項７】
前記特定の空間は、前記部屋を基準にして所定の方角に位置している前記空間であることを特徴とする請求項４に記載の建物。
【請求項８】
前記特定の空間は、前記部屋の北側に位置している前記空間であることを特徴とする請求項７に記載の建物。
【請求項９】
少なくとも一つ以上の前記仕切壁には、前記開口部を開閉するための可動部材が設置されており、
該可動部材が移動可能な範囲は、前記可動部材が設置された前記仕切壁における前記開放度合いの前記調整許容量に応じて設定されていることを特徴とする請求項１乃至８のいずれか一項に記載の建物。
【請求項１０】
前記建物が平屋建て住宅であることを特徴とする請求項１乃至９のいずれか一項に記載の建物。
【発明の詳細な説明】
【技術分野】
【０００１】
本発明は、建物に係り、特に、複数の空間に隣接する位置に部屋が設けられている建物に関する。
【背景技術】
【０００２】
住宅等の建物は、その間取りが建物利用者にとって利用し易くなるように設計される。建物の間取りについて一例を挙げて説明すると、所定の部屋を中心にしてその周囲を回遊することが可能となる間取りが挙げられる（例えば、特許文献１参照）。
【０００３】
特許文献１に記載の間取りについて説明すると、建物内の平面視における略中央部に部屋（以下、中央部屋）を設け、中央部屋の全周囲を取り囲むように複数の部屋（以下、周辺部屋）が隣接配置されている。また、中央部屋と周辺部屋との間の仕切壁には開閉自在な扉が設けられている。さらに、周辺部屋同士の間の仕切壁にも扉が設けられている。
【０００４】
このような間取りであれば、中央部屋から各周辺部屋へ容易に行き来することが可能となる。また、周辺部屋が中央部屋を取り囲んでいるので、中央部屋を中心として各周辺部屋を回遊することが可能となる。
【先行技術文献】
【特許文献】
【０００５】
【特許文献１】特開２００１−９０３５４号公報
【発明の概要】
【発明が解決しようとする課題】
【０００６】
特許文献１のように中央部屋の周囲に複数の周辺部屋が配置されている間取りに関して言えば、中央部屋との連続性を確保するのが望ましい周辺部屋が存在する一方で、中央部屋との分離性（遮蔽性）を確保するのが望ましい周辺部屋も存在する。したがって、建物の間取りを設計する際には、周辺部屋と中央部屋との関わり合いを考慮して設計する必要がある。
【０００７】
そこで、本発明は、上記の課題に鑑みてなされたものであり、その目的とするところは、複数の空間に隣接する位置に部屋を設けるにあたって当該部屋と各空間との関係が考慮された建物を提供することである。
【課題を解決するための手段】
【０００８】
前記課題は、本発明の建物によれば、互いに異なる位置に配置された複数の空間と、複数の前記空間の各々と隣接する位置に設けられた部屋と、該部屋と各々の前記空間との境界位置に設けられた仕切壁と、各々の該仕切壁に設けられた開口部と、を有し、複数の前記空間は、連続して繋がっており、各々の前記仕切壁において前記開口部を開くことで調整される開放度合いの調整許容量は、各々の前記仕切壁と隣り合う前記空間に応じて設定されていることにより解決される。
【０００９】
上記のように構成された本発明の建物では、部屋の周囲に複数の空間が設けられており、当該複数の空間は、連続して繋がっている。これにより、上記の部屋を中心として各空間を回遊することが可能となる。この結果、より回遊性が高い建物が実現される。
【００１０】
また、本発明の建物では、部屋と各空間との境界位置にある仕切壁に開口部が設けられている。そして、各仕切壁における開放度合いの調整許容量は、各仕切壁と隣り合う空間に応じて設定されている。これにより、部屋との連続性を確保したい空間については、当該空間と隣接する仕切壁における開放度合いの調整許容量を大きくする（すなわち、開放度合いがより大きくなる）ことで、部屋との連続性を確保することが可能となる。反対に、部屋との遮蔽性を確保したい空間については、当該空間と隣接する仕切壁における開放度合いの調整許容量を小さくする（すなわち、開放度合いがより小さくなる）ことで、部屋との遮蔽性を確保することができる。
【００１１】
また、本発明の建物に関して好適な構成を述べると、前記部屋は、前記建物において前記建物の外壁に面する位置から離れた位置に設けられており、少なくとも一つ以上の前記空間は、前記建物において前記外壁に面する位置に設けられているとよい。
上記の構成では、建物の外壁に面する位置から離れた位置に部屋が設けられている。このような位置関係であれば、部屋の周囲により多くの空間が設けられることになり、部屋を中心とした回遊性がより一層高まる。また、部屋の周囲にある複数の空間のうち、少なくとも一つ以上が外壁に面する位置にあれば、その空間を通じて光が部屋に入り込むため、部屋における採光が適切に行われるようになる。
【００１２】
また、本発明の建物に関してより好適な構成を述べると、各々の前記仕切壁における前記開口部のサイズが、各々の前記仕切壁と隣り合う前記空間に応じて設定されているとよい。
上記の構成では、各仕切壁に設けられた開口部のサイズを決めることで、各仕切壁における開放度合いの調整許容量を容易に設定することが可能となる。
【００１３】
また、本発明の建物に関して更に好適な構成を述べると、複数の前記空間のうち、特定の空間と隣り合う前記仕切壁における前記開放度合いの前記調整許容量が最も大きく設定されているとよい。
上記の構成では、特定の空間と隣り合う仕切壁における開放度合いの調整許容量が最も大きくなっているので、部屋と特定の空間との連続性を確保することを重視した間取りを実現することが可能となる。
【００１４】
なお、上記の構成において、前記特定の空間は、前記部屋を基準にして前記建物の出入口とは反対側に位置する前記空間であってもよい。
あるいは、前記特定の空間は、複数の前記空間のうち、床面積が最も小さい前記空間であってもよい。
あるいは、前記特定の空間は、前記部屋を基準にして所定の方角に位置している前記空間であってもよい。かかる場合、前記特定の空間は、前記部屋の北側に位置している前記空間であるのが望ましい。
【００１５】
また、本発明の建物に関してより一層好適な構成を述べると、少なくとも一つ以上の前記仕切壁には、前記開口部を開閉するための可動部材が設置されており、該可動部材が移動可能な範囲は、前記可動部材が設置された前記仕切壁における前記開放度合いの前記調整許容量に応じて設定されているとよい。
上記の構成では、可動部材が設置された仕切壁において、可動部材が当該仕切壁における開放度合いの調整許容量に応じた範囲（可動範囲）内を移動する。これにより、可動部材を動かして開口部を開閉する際には、部屋と空間との連続性あるいは遮蔽性を確保しつつ開閉することが可能となる。
【００１６】
また、本発明の建物は、平屋建て住宅であることとしてもよい。かかる構成では、平屋建て住宅において、複数の空間に隣接する位置に部屋を設け、部屋と各空間との関係が考慮された間取りを実現することが可能となる。
【発明の効果】
【００１７】
本発明の建物によれば、部屋の周囲に複数の空間を隣接配置することで、部屋を中心として建物の回遊性を向上させることが可能である。また、部屋と各空間との間の仕切壁における開放度合いの調整許容量が、当該仕切壁と隣り合う空間に応じて設定されていることで、部屋と各空間との関わり合いを考慮した間取りが実現される。
【図面の簡単な説明】
【００１８】
【図１】本発明の建物の間取り図である。
【図２】寝室と書斎空間との間にある仕切壁において開口部が閉められた状態を示す図である。
【図３】寝室と書斎空間との間にある仕切壁において開口部が開けられた状態を示す図である。
【図４】寝室とリビング空間との間にある仕切壁の説明図である。
【発明を実施するための形態】
【００１９】
以下、本発明の一実施形態（以下、本実施形態）に係る建物について説明する。なお、以下では、平屋建ての住宅を建物の一例として挙げて説明する。ただし、平屋建ての住宅は、あくまでも建物の一例に過ぎない。すなわち、本発明は、平屋建ての住宅以外の建物、具体的には二階建て以上の住宅や住宅以外の建物（建屋や店舗、若しくは施設等）にも適用可能である。
【００２０】
本実施形態に係る平屋建ての住宅（以下、住宅Ｊ）は、特定の居住者（例えば、高齢の居住者）が利用することを前提として設計されたものである。具体的に説明すると、住宅Ｊの間取りは、従来の平屋建ての住宅よりも宅内での回遊性が向上したものになっている。
【００２１】
より詳しく説明すると、住宅Ｊの宅内構造を平面視したときに、住宅Ｊの略中央部分に寝室１が配置されている。寝室１は、図１に示すように平面視で略矩形状の部屋であり、居住者が主に就寝の用途で利用する部屋である。また、寝室１は、住宅Ｊにおいて住宅Ｊの外壁１０に面する位置から離れた位置に設けられている。
【００２２】
なお、平面視したときの寝室１の形状については、矩形に限定されず、台形あるいは四角形以外の多角形、または円であってもよい。
【００２３】
また、寝室１の周辺には、互いに異なる用途で利用される複数の空間が設けられている。これらの空間は、互いに異なる位置に配置されており、具体的には図１に示すように寝室１の四方を取り囲む位置に配置されている。換言すると、複数の空間の各々と隣接する位置に寝室１が設けられている。
【００２４】
複数の空間について図１を参照しながら詳しく説明すると、寝室１の四方を取り囲む複数の空間のうち、寝室１から見て北側に位置する空間は、居住者が主に書斎として利用する空間であり、以下、書斎空間２と呼ぶ。この書斎空間２は、住宅Ｊにおいて外壁１０に面する位置に設けられている。なお、書斎空間２内には、居住者が利用する書斎机（図１中、破線にて表記）が配置されている。書斎空間２が面している外壁１０には、窓が設けられており、この窓を通じて光が書斎空間２に入り込む。ちなみに、書斎空間２は、軒下と繋がっており、その外側には不図示の庭が設けられている。
【００２５】
書斎空間２について更に説明すると、書斎空間２は、寝室１を取り囲む複数の空間のうち、特定の空間に相当し、プライベートスペースとして利用される。このため、書斎空間２は、寝室１を基準として住宅Ｊの玄関６（住宅Ｊの出入口）とは反対側に配置されている。また、書斎空間２は、寝室１を取り囲む複数の空間の中で、最も床面積が小さい空間である。さらに、書斎空間２は、寝室１を基準にして所定の方角に位置しており、具体的には、前述したように寝室１の北側に位置している。
【００２６】
寝室１から見て東側に位置する空間は、居住者が主に居間として利用する空間であり、以下、リビング空間３と呼ぶ。このリビング空間３は、書斎空間２と隣り合っており、書斎空間２と同様、住宅Ｊにおいて外壁１０に面する位置に設けられている。また、リビング空間３が面している外壁１０には、窓が設けられており、この窓を通じて光がリビング空間３に入り込む。
【００２７】
寝室１から見て南側に位置する空間は、居住者が主に食事室として利用する空間であり、以下、ダイニング空間４と呼ぶ。このダイニング空間４は、住宅Ｊにおいて外壁１０に面する位置、特に南側の外壁１０に面する位置に設けられている。また、ダイニング空間４が面している外壁１０には、ガラス扉が設けられており、ガラス扉を通じて光がダイニング空間４に入り込む。なお、宅内において南側に位置するダイニング空間４では、他の空間（書斎空間２やリビング空間３）と比較して採光量が大きくなる傾向にある。
【００２８】
ダイニング空間４について更に説明すると、ダイニング空間４は、来客等、居住者以外の者も利用する空間であり、パブリックスペースとして利用される。このため、ダイニング空間４は、玄関６からアクセスし易い位置、具体的には、寝室１を基準として玄関６とは同じ側に配置されている。また、ダイニング空間４は、寝室１を取り囲む複数の空間の中で、最も床面積が大きい空間である。
【００２９】
寝室１から見て西側に位置する空間は、廊下５であり、居住者が例えば寝室１から浴室７やトイレ８に向かう際に通過する空間である。廊下５の東側には、寝室１が廊下５と隣り合った状態で配置されている。他方、廊下５の西側には浴室７（厳密には浴室７と隣接する脱衣場）、トイレ８及びウォークインクローゼット９が配置されている。
【００３０】
上述した４つの空間（すなわち、書斎空間２、リビング空間３、ダイニング空間４及び廊下５）は、図１に示すように、連続して繋がっている。ここで、「連続して繋がっている」とは、空間同士の間に仕切壁や扉等が設けられておらず、一の空間から他の空間へ移動する際に特段の動作（例えば、ドア開放動作等）を要さずに移動することが可能な状態を意味する。
【００３１】
以上のように住宅Ｊでは寝室１を取り囲む４つの空間が連続して繋がっている。このため、居住者は、寝室１を中心として各空間を回遊することができ、例えば、書斎空間２からリビング空間３を経由してダイニング空間４まで移動することが可能である。
【００３２】
ところで、寝室１は、図１に示すように、矩形状に配置された仕切壁１ａ、１ｂ、１ｃ、１ｄによって区画されている。換言すると、仕切壁１ａ、１ｂ、１ｃ、１ｄは、寝室１と寝室１を取り囲む４つの空間の各々との境界位置に設けられている。また、各仕切壁１ａ、１ｂ、１ｃ、１ｄには開口部が設けられている。
【００３３】
さらに、各仕切壁１ａ、１ｂ、１ｃ、１ｄでは、上記の開口部を開くことで開放度合いが調整される。ここで、「開放度合い」とは、仕切壁１ａ、１ｂ、１ｃ、１ｄを介して隣り合う寝室１と空間とが連続している度合いを意味し、分かり易くは開口部の開き度合いである。
【００３４】
そして、各仕切壁１ａ、１ｂ、１ｃ、１ｄにおける開放度合いの調整許容量は、各仕切壁１ａ、１ｂ、１ｃ、１ｄと隣り合う空間に応じて異なっている。ここで、「調整許容量」とは、開放度合いを調整する際の許容量を意味し、分かり易くは、調整可能な開放度合いの限界値（上限値）を意味している。
以下、各仕切壁１ａ、１ｂ、１ｃ、１ｄの構造、及び、各仕切壁１ａ、１ｂ、１ｃ、１ｄにおける開放度合いの調整許容量について詳しく説明する。
【００３５】
第一の仕切壁１ａは、寝室１と書斎空間２との境界位置に設けられている。この仕切壁１ａには、図２及び図３に示すように、横方向に幾分広く形成された開口部Ｗが設けられている。また、第一の仕切壁１ａには、開口部Ｗを開閉するために設けられた４枚の引き戸１１が設置されている。各引き戸１１は、可動部材に相当し、図３に示すように、３枚の引き戸１１を残り１枚の引き戸１１の後ろに移動させて当該引き戸１１と重ねることが可能である。
【００３６】
すなわち、第一の仕切壁１ａにおける開放度合いは、４枚の引き戸１１が横方向に連なって開口部Ｗを閉塞するときに最も小さくなる。一方、３枚の引き戸１１が残り１枚の引き戸１１の後ろに移動して３枚分の引き戸１１と同じ幅だけ開口部Ｗが開いたとき、第一の仕切壁１ａにおける開放度合いが最も大きくなる。つまり、第一の仕切壁１ａにおける開放度合いの調整許容量は、３枚の引き戸１１に相当する量となる。また、第一の仕切壁１ａに設けられた開口部Ｗのサイズは、４枚の引き戸１１に相当する大きさである。
【００３７】
なお、第一の仕切壁１ａに設けられた開口部Ｗは、書斎空間２が面している外壁１０に設けられた窓と対向する位置にある。したがって、当該窓から書斎空間２に入り込んだ光は、開口部Ｗを通じて寝室１内にまで入り込むようになる。
【００３８】
第二の仕切壁１ｂは、寝室１とリビング空間３との境界位置に設けられている。この仕切壁１ｂの上端部には、図４に示すように、仕切壁１ｂの横幅方向に沿って長く形成された開口部Ｗが設けられている。そして、第二の仕切壁１ｂにおいて、図４に示すように、開口部Ｗには欄間１２が設けられている。つまり、第二の仕切壁１ｂに設けられた開口部Ｗのサイズは、欄間１２に相当する大きさである。
【００３９】
欄間１２は開口部Ｗに対して固定されているため、開口部Ｗは、常に一定の開口率にて維持される。したがって、第二の仕切壁１ｂにおける開放度合いは、一定である一方、その調整許容量については零（ゼロ）となる。ただし、これに限定されるものではなく、第二の仕切壁１ｂにおける開放度合いが調整可能であってもよい。
【００４０】
なお、第二の仕切壁１ｂに形成された開口部Ｗでは、光が欄間１２を通じてリビング空間３から寝室１に入り込むようになっている。つまり、第二の仕切壁１ｂに形成された開口部Ｗは、寝室１における採光の目的で設けられている。
【００４１】
第三の仕切壁１ｃは、寝室１とダイニング空間４との境界位置に設けられている。この仕切壁１ｃには、開き戸１３と、開き戸１３によって開閉される開口部とが設けられている。開き戸１３は、可動部材に相当し、前後に移動することで第三の仕切壁１ｃに設けられた開口部を開閉する。すなわち、第三の仕切壁１ｃにおける開放度合いは、開き戸１３が閉じて開口部Ｗを閉塞するときに最も小さくなり、開き戸１３を開けて開口部Ｗが開いたときに最も大きくなる。つまり、第三の仕切壁１ｃにおける開放度合いの調整許容量は、１枚の開き戸１３に相当する量となる。また、第三の仕切壁１ｃに設けられた開口部のサイズは、１枚の開き戸１３に相当する大きさである。
【００４２】
なお、第三の仕切壁１ｃに設けられた開口部は、ダイニング空間４が面している外壁１０に設けられたガラス扉と対向する位置にある。したがって、当該ガラス扉からダイニング空間４に入り込んだ光は、第三の仕切壁１ｃに設けられた開口部を通じて寝室１内にまで入り込むようになる。
【００４３】
第四の仕切壁１ｄは、寝室１と廊下５との境界位置に設けられている。この仕切壁１ｄには、横長な開口部が設けられている。また、第四の仕切壁１ｄには、開口部を開閉するために設けられた２枚の引き戸１４が設置されている。２枚の引き戸１１の各々は、可動部材に相当し、開口部の脇位置まで移動することが可能である。
【００４４】
すなわち、第四の仕切壁１ｄにおける開放度合いは、２枚の引き戸１４が横方向に連なって開口部を閉塞するときに最も小さくなる。一方、２枚の引き戸１４の双方が互いに反対向きに移動して開口部の脇位置に至ったとき（つまり、開口部が全開となったとき）に、第四の仕切壁１ｄにおける開放度合いが最も大きくなる。つまり、第四の仕切壁１ｄにおける開放度合いの調整許容量は、２枚の引き戸１４に相当する量となる。また、第四の仕切壁１ｄに設けられた開口部Ｗのサイズは、２枚の引き戸１４に相当する大きさである。
【００４５】
以上までに説明してきたように、本実施形態では、各仕切壁１ａ、１ｂ、１ｃ、１ｄにおける開放度合いの調整許容量が、各仕切壁１ａ、１ｂ、１ｃ、１ｄと隣り合う空間に応じて設定されている。特に、本実施形態では、各仕切壁１ａ、１ｂ、１ｃ、１ｄにおける開口部のサイズが、各仕切壁１ａ、１ｂ、１ｃ、１ｄと隣り合う空間に応じて異なっている。さらに、引き戸１１、１４や開き戸１３等の可動部材が設けられた仕切壁１ａ、１ｃ、１ｄでは、可動部材が移動可能な範囲が、各仕切壁１ａ、１ｃ、１ｄにおける開放度合いの調整許容量に応じて設定されている。
【００４６】
以上の結果、寝室１を取り囲む複数の空間の各々と寝室１との関わり合いを考慮した間取りが実現される。より詳しく説明すると、寝室１を取り囲む複数の空間のうち、書斎空間２と隣り合う仕切壁１ａにおける開放度合いの調整許容量が最も大きく設定されており、具体的には、前述したように３枚の引き戸１１分に相当する。
【００４７】
そして、上記の仕切壁１ａにおいて３枚の引き戸１１を残り１枚の引き戸１１の後ろまで動かして開放度合いを最も大きくすれば、寝室１と書斎空間２との連続性が最も高まり、寝室１と書斎空間２との一体感（繋がり感）が増す。これにより、居住者は、プライベートスペースとしての書斎空間２がより広くなったように感じる。かかる効果は、書斎空間２の床面積が寝室１を取り囲む複数の空間の中で最も小さいケースにおいて特に有効である。
【００４８】
なお、書斎空間２は、寝室１を取り囲む複数の空間の中で最も北寄りに配置されている。また、書斎空間２が面する外壁１０には窓が設けられている。したがって、寝室１と書斎空間２との間の仕切壁１ａにおいて開放度合いを最も大きくすれば、上記の窓から書斎空間２に入り込む外光（すなわち、北側の光）を寝室１に積極的に取り込むことが可能となる。
【００４９】
他方、ダイニング空間４と隣り合う仕切壁１ｃにおける開放度合いの調整許容量は、書斎空間２と隣り合う仕切壁１ａにおける開放度合いの調整許容量に比して幾分小さく設定されており、具体的には、前述したように１枚の開き戸１３分に相当する。これは、寝室１からダイニング空間４へのアクセスし易さ（行き易さ）を確保しつつ、パブリックスペースであるダイニング空間４から寝室１を極力隔てるためである。
【００５０】
以上までに本発明の一実施形態について説明してきたが、上記の実施形態は、本発明の理解を容易にするための一例であり、本発明を限定するものではない。すなわち、本発明は、その趣旨を逸脱することなく、変更、改良され得る。また、本発明にその等価物が含まれることは勿論である。
【００５１】
また、上記の実施形態では、住宅Ｊの略中央部分に配置されている部屋が寝室１であり、寝室１を取り囲む空間が、それぞれ書斎空間２、リビング空間３、ダイニング空間４及び廊下５として利用されることとした。ただし、上記の部屋及び各空間の用途については、特に限定されるものではなく、任意に決めることが可能である。また、部屋を取り囲む複数の空間の中に、同じ用途の空間が複数存在してもよい。また、部屋を取り囲む空間の数についても自由に設定することが可能である。
【００５２】
また、上記の実施形態の中で説明した各仕切壁１ａ、１ｂ、１ｃ、１ｄにおける開放度合いの調整許容量は、あくまでも一例に過ぎず、上述した値に限定されるものではない。
【００５３】
また、上記の実施形態では、仕切壁１ａ、１ｃ、１ｄに設けられた可動部材が引き戸１１、１４や開き戸１３であることとしたが、これに限定されるものではなく、他の可動部材（例えば、折れ戸、上下移動式のシャッター、アコーディオン状の間仕切り等）を用いてもよい。
【符号の説明】
【００５４】
１  寝室（部屋）
１ａ、１ｂ、１ｃ、１ｄ  仕切壁
２  書斎空間（空間、特定の空間）
３  リビング空間（空間）
４  ダイニング空間（空間）
５  廊下（空間）
６  玄関（出入口）
７  浴室
８  トイレ
９  ウォークインクローゼット
１０  外壁
１１  引き戸（可動部材）
１２  欄間
１３  開き戸（可動部材）
１４  引き戸（可動部材）
Ｊ  住宅（建物、平屋建ての住宅）
Ｗ  開口部
【図１】
2018104910.tif 000003
【図２】
2018104910.tif 000004
【図３】
2018104910.tif 000005
【図４】
2018104910.tif 000006